(57)【要約】【課題】パーソナルコンピュータから入力される複数の映像信号の映像フォーマットに対応させることが可能であり、かつ、表示回数の多い映像フォーマットを有する映像信号を表示画面部に表示させるまでの時間が長くなるのを抑制することが可能な映像表示装置を提供する。【解決手段】この液晶テレビジョン１０（映像表示装置）は、液晶テレビジョン１０の本体部と、ＰＣ２０から入力される複数の映像フォーマットを有する映像信号を表示可能な表示画面部１３と、ＰＣ２０から入力される映像フォーマットと映像フォーマットの表示回数とを対応付けて記憶可能なフラッシュメモリ１７と、ＰＣ２０から映像フォーマットを有する映像信号が入力された際、表示回数が多い映像フォーマットから順に参照して、入力された映像信号の映像フォーマットを表示画面部１３に表示可能であるか否かを判別する制御部１１とを備える。【選択図】図２
2010243745.tif 000002
【特許請求の範囲】
【請求項１】
パーソナルコンピュータが接続可能である映像表示装置本体部と、
前記映像表示装置本体部に設けられ、前記パーソナルコンピュータから入力される複数の映像フォーマットを有する映像信号を表示可能な表示画面部と、
前記映像表示装置本体部に設けられ、前記パーソナルコンピュータから入力される前記映像フォーマットと前記パーソナルコンピュータから入力される前記映像フォーマットの表示回数とを対応付けて記憶可能な記憶部と、
前記映像表示装置本体部に設けられ、前記パーソナルコンピュータから前記映像フォーマットを有する前記映像信号が入力された際、前記表示回数が多い前記映像フォーマットから順に参照して、入力された前記映像信号の映像フォーマットを前記表示画面部に表示可能であるか否かを判別する制御部とを備える、映像表示装置。
【請求項２】
前記記憶部には、前記表示画面部において前回表示された前記映像信号の映像フォーマットが記憶されるように構成されており、
前記制御部は、前記映像フォーマットを有する前記映像信号が入力された際、前記表示回数が多い前記映像フォーマットから順に参照する前に、前記表示画面部において前回表示された前記映像信号の映像フォーマットを参照して、入力された前記映像信号の映像フォーマットを前記表示画面部に表示可能であるか否かを判別するように構成されている、請求項１に記載の映像表示装置。
【請求項３】
前記記憶部には、前記パーソナルコンピュータから入力される前記映像フォーマットと前記パーソナルコンピュータから入力される前記映像フォーマットの表示回数とが対応付けられた状態で、前記映像フォーマットの表示回数が多い順に並べられたリストが記憶されるように構成されており、
前記制御部は、前記リストに基づいて、前記表示回数が多い前記映像フォーマットから順に参照して、入力された前記映像信号の映像フォーマットを前記表示画面部に表示可能であるか否かを判別するように構成されている、請求項１または２に記載の映像表示装置。
【請求項４】
前記制御部は、前記表示画面部に前記映像信号が表示された際、前記映像フォーマットの表示回数が多い順に並べ直すことによって、前記リストを更新するように構成されている、請求項３に記載の映像表示装置。
【請求項５】
前記映像フォーマットは、画面解像度を有し、
前記制御部は、前記映像フォーマットの画面解像度を参照することによって、前記表示回数が多い前記映像フォーマットから順に参照して、入力された前記映像信号の映像フォーマットを前記表示画面部に表示可能であるか否かを判別するように構成されている、請求項１〜４のいずれか１項に記載の映像表示装置。
【請求項６】
前記制御部は、前記表示回数が同一の前記映像フォーマットが複数存在する場合、前記画面解像度が小さい前記映像フォーマットから順に参照して、入力された前記映像信号の映像フォーマットを前記表示画面部に表示可能であるか否かを判別するように構成されている、請求項５に記載の映像表示装置。
【請求項７】
パーソナルコンピュータが接続可能であるテレビジョン装置本体部と、
前記テレビジョン装置本体部に設けられ、前記パーソナルコンピュータから入力される複数の映像フォーマットを有する映像信号を表示可能な表示画面部と、
前記テレビジョン装置本体部に設けられ、前記パーソナルコンピュータから入力される前記映像フォーマットと前記パーソナルコンピュータから入力される前記映像フォーマットの表示回数とを対応付けて記憶可能な記憶部と、
前記テレビジョン装置本体部に設けられ、前記パーソナルコンピュータから前記映像フォーマットを有する前記映像信号が入力された際、前記表示回数が多い前記映像フォーマットから順に参照して、入力された前記映像信号の映像フォーマットを前記表示画面部に表示可能であるか否かを判別する制御部とを備える、テレビジョン装置。
【発明の詳細な説明】
【技術分野】
【０００１】
この発明は、映像表示装置およびテレビジョン装置に関し、特に、パーソナルコンピュータから入力される映像信号を表示可能な表示画面部を備える映像表示装置およびテレビジョン装置に関する。
【背景技術】
【０００２】
従来、パーソナルコンピュータから入力される映像信号を表示可能な表示画面部を備える映像表示装置およびテレビジョン装置などが知られている（たとえば、特許文献１および２参照）。
【０００３】
上記特許文献１では、コンピュータシステム装置において生成された入力信号の画面解像度を、モニタ（映像表示装置）が有するディスプレイ装置（表示画面部）の画面解像度に適合するようにスケーリングを行うとともに、スケーリングが行われた出力信号をディスプレイ装置に出力するスケーラを備えたコンピュータシステム装置用の処理モジュールが開示されている。
【０００４】
また、上記特許文献２では、液晶パネルと、ＰＣ（パーソナルコンピュータ）と、ＰＣからの外部入力信号に含まれる映像信号の画面解像度を判別するための同期カウンタおよびＰＣからの映像信号を液晶パネルに表示させるＭＰＵ（制御部）を含むテレビジョン受信機とを備えた入力切換制御装置が開示されている。上記特許文献２のテレビジョン受信機のＭＰＵは、ＰＣからの映像信号の画面解像度が予めユーザが設定したＰＣの起動処理完了時に表示される映像信号の画面解像度と同一になった際に、ＰＣの起動処理が完了したと判断して、ＰＣからの映像信号を液晶パネルに表示させるように構成されている。
【先行技術文献】
【特許文献】
【０００５】
【特許文献１】特表２００５−５０１３２４号公報
【特許文献２】特開２００８−１２５０３７号公報
【発明の概要】
【発明が解決しようとする課題】
【０００６】
しかしながら、上記特許文献１によるコンピュータシステム装置用の処理モジュールでは、コンピュータシステム装置から入力された入力信号の画面解像度がディスプレイ装置の画面解像度に適合するようにスケーリングが行われる一方、様々な画像解像度（映像フォーマット）のうち、どのような順番でコンピュータシステム装置から入力された入力信号の画像解像度をディスプレイ装置の画面解像度と比較しながら検出してスケーリングが行われるかは特に定められていない。このため、画面解像度が検出されるまでの時間が長くなる場合があるという不都合がある。したがって、たとえば、表示回数の多い（過去にディスプレイ装置に表示された頻度の高い）コンピュータシステム装置から入力された入力信号の画面解像度であっても、スケーリングされるまでの順番が遅くなり、その結果、表示回数の多い画面解像度を有する出力信号をディスプレイ装置に表示させようとしても、表示させるまでの時間が長くなるという問題点があると考えられる。
【０００７】
また、上記特許文献２による入力切換制御装置では、ＭＰＵによって、ＰＣからの映像信号の画面解像度が予めユーザが設定したＰＣの起動処理が完了する際の映像信号の画面解像度と同一になるか否かが判別され、同一である場合にはＰＣからの映像信号が液晶パネルに表示される一方、同一でない場合にはＰＣからの映像信号は液晶パネルには表示されないと考えられる。このため、予めユーザによって設定された画面解像度以外の複数の画面解像度に対応させてＰＣからの複数の映像信号を液晶パネルに表示させることができないという問題点があると考えられる。
【０００８】
この発明は、上記のような課題を解決するためになされたものであり、この発明の１つの目的は、パーソナルコンピュータから入力される複数の映像信号の映像フォーマットに対応させることが可能であり、かつ、表示回数の多い映像フォーマットを有する映像信号を表示画面部に表示させるまでの時間が長くなるのを抑制することが可能な映像表示装置およびテレビジョン装置を提供することである。
【課題を解決するための手段および発明の効果】
【０００９】
この発明の第１の局面による映像表示装置は、パーソナルコンピュータが接続可能である映像表示装置本体部と、映像表示装置本体部に設けられ、パーソナルコンピュータから入力される複数の映像フォーマットを有する映像信号を表示可能な表示画面部と、映像表示装置本体部に設けられ、パーソナルコンピュータから入力される映像フォーマットとパーソナルコンピュータから入力される映像フォーマットの表示回数とを対応付けて記憶可能な記憶部と、映像表示装置本体部に設けられ、パーソナルコンピュータから映像フォーマットを有する映像信号が入力された際、表示回数が多い映像フォーマットから順に参照して、入力された映像信号の映像フォーマットを表示画面部に表示可能であるか否かを判別する制御部とを備える。
【００１０】
この発明の第１の局面による映像表示装置では、上記のように、パーソナルコンピュータから映像フォーマットを有する映像信号が入力された際、表示回数が多い映像フォーマットから順に参照して、入力された映像信号の映像フォーマットを表示画面部に表示可能であるか否かを判別する制御部を備えることによって、制御部により表示回数が多い映像フォーマットが優先的に参照されるので、表示回数の多い映像フォーマットを有する映像信号が表示画面部に表示されるまでの時間が長くなるのを抑制することができる。また、制御部を、表示回数が多い映像フォーマットから順に参照して、入力された映像信号の映像フォーマットを表示画面部に表示可能であるか否かを判別するように構成することによって、制御部は複数の映像フォーマットを参照するように構成されているので、パーソナルコンピュータから入力される複数の映像信号の映像フォーマットに対応させて、パーソナルコンピュータからの映像信号を表示画面部に表示させることができる。
【００１１】
上記第１の局面による映像表示装置において、好ましくは、記憶部には、表示画面部において前回表示された映像信号の映像フォーマットが記憶されるように構成されており、制御部は、映像フォーマットを有する映像信号が入力された際、表示回数が多い映像フォーマットから順に参照する前に、表示画面部において前回表示された映像信号の映像フォーマットを参照して、入力された映像信号の映像フォーマットを表示画面部に表示可能であるか否かを判別するように構成されている。このように構成すれば、制御部により前回表示された映像信号の映像フォーマットが最初に参照されるので、前回表示された映像信号の映像フォーマットと、パーソナルコンピュータから入力された映像信号の映像フォーマットとが一致する場合には、表示回数のみに基づいて制御部により表示回数が多い映像フォーマットから順に参照される場合と比べて、前回表示された映像フォーマットを有する映像信号が表示画面部に表示されるまでの時間が長くなるのをより抑制することができる。
【００１２】
上記第１の局面による映像表示装置において、好ましくは、記憶部には、パーソナルコンピュータから入力される映像フォーマットとパーソナルコンピュータから入力される映像フォーマットの表示回数とが対応付けられた状態で、映像フォーマットの表示回数が多い順に並べられたリストが記憶されるように構成されており、制御部は、リストに基づいて、表示回数が多い映像フォーマットから順に参照して、入力された映像信号の映像フォーマットを表示画面部に表示可能であるか否かを判別するように構成されている。このように構成すれば、映像フォーマットの表示回数が多い順に並べられたリストに基づいて、制御部により、容易に、表示回数が多い映像フォーマットが優先的に参照されるように構成することができる。
【００１３】
この場合、好ましくは、制御部は、表示画面部に映像信号が表示された際、映像フォーマットの表示回数が多い順に並べ直すことによって、リストを更新するように構成されている。このように構成すれば、常に、リストを映像フォーマットの表示回数が多い順に並べられた状態に保つことができる。
【００１４】
上記第１の局面による映像表示装置において、好ましくは、映像フォーマットは、画面解像度を有し、制御部は、映像フォーマットの画面解像度を参照することによって、表示回数が多い映像フォーマットから順に参照して、入力された映像信号の映像フォーマットを表示画面部に表示可能であるか否かを判別するように構成されている。このように構成すれば、映像フォーマットの画面解像度に基づいて、制御部により表示回数が多い映像フォーマットが優先的に参照されるように構成することができる。
【００１５】
この場合、好ましくは、制御部は、表示回数が同一の映像フォーマットが複数存在する場合、画面解像度が小さい映像フォーマットから順に参照して、入力された映像信号の映像フォーマットを表示画面部に表示可能であるか否かを判別するように構成されている。このように構成すれば、画面解像度の大きい映像フォーマットと比べて、画面解像度が小さい映像フォーマットは制御部による参照の際に必要となる時間が短いので、表示回数が同一の映像フォーマットが複数存在する場合において、制御部により、参照に必要な時間が短い映像フォーマットから順に参照されるように構成することができる。
【００１６】
この発明の第２の局面におけるテレビジョン装置は、パーソナルコンピュータが接続可能であるテレビジョン装置本体部と、テレビジョン装置本体部に設けられ、パーソナルコンピュータから入力される複数の映像フォーマットを有する映像信号を表示可能な表示画面部と、テレビジョン装置本体部に設けられ、パーソナルコンピュータから入力される映像フォーマットとパーソナルコンピュータから入力される映像フォーマットの表示回数とを対応付けて記憶可能な記憶部と、テレビジョン装置本体部に設けられ、パーソナルコンピュータから映像フォーマットを有する映像信号が入力された際、表示回数が多い映像フォーマットから順に参照して、入力された映像信号の映像フォーマットを表示画面部に表示可能であるか否かを判別する制御部とを備える。
【００１７】
この発明の第２の局面におけるテレビジョン装置では、上記のように、パーソナルコンピュータから映像フォーマットを有する映像信号が入力された際、表示回数が多い映像フォーマットから順に参照して、入力された映像信号の映像フォーマットを表示画面部に表示可能であるか否かを判別する制御部を備えることによって、制御部により表示回数が多い映像フォーマットが優先的に参照されるので、表示回数の多い映像フォーマットを有する映像信号が表示画面部に表示されるまでの時間が長くなるのを抑制することができる。また、制御部を、表示回数が多い映像フォーマットから順に参照して、入力された映像信号の映像フォーマットを表示画面部に表示可能であるか否かを判別するように構成することによって、制御部は複数の映像フォーマットを参照するように構成されているので、パーソナルコンピュータから入力される複数の映像信号の映像フォーマットに対応させて、パーソナルコンピュータからの映像信号を表示画面部に表示させることができる。
【図面の簡単な説明】
【００１８】
【図１】本発明の一実施形態による映像表示システムの全体構成を示した図である。
【図２】図１に示した一実施形態による映像表示システムを説明するためのブロック図である。
【図３】図１に示した一実施形態による映像表示システムのＰＣから入力された映像信号が液晶テレビジョンに表示されている図である。
【図４】図１に示した一実施形態による映像表示システムの対応フォーマットリストを説明するための図である。
【図５】図１に示した一実施形態による映像表示システムの映像信号の映像フォーマットが液晶テレビジョンにおいて未対応である旨が液晶テレビジョンに表示されている図である。
【図６】図１に示した一実施形態による映像表示システムの液晶テレビジョンの映像信号入力時の制御動作を示したフローチャートである。
【図７】図１に示した一実施形態による映像表示システムの液晶テレビジョンの対応フォーマットリストの更新時の制御動作を示したフローチャートである。
【図８】図１に示した一実施形態による映像表示システムの対応フォーマットリストの更新前の状態の一例を示した図である。
【図９】図８に示した一例における映像表示システムの対応フォーマットリストの更新後の状態を示した図である。
【図１０】図１に示した一実施形態による映像表示システムの対応フォーマットリストの更新前の状態の一例を示した図である。
【図１１】図１０に示した一例における映像表示システムの対応フォーマットリストの更新後の状態を示した図である。
【発明を実施するための形態】
【００１９】
以下、本発明を具体化した実施形態を図面に基づいて説明する。
【００２０】
まず、図１〜図５を参照して、本実施形態による映像表示システム１の構成を説明する。
【００２１】
本発明の一実施形態による映像表示システム１は、図１に示すように、液晶テレビジョン１０と、パーソナルコンピュータ（ＰＣ）２０とから構成されている。また、図２に示すように、液晶テレビジョン１０とＰＣ２０とは後述する端子部１６を介して電気的に接続されており、ＰＣ２０は、映像フォーマットを有する映像信号を、端子部１６を介して、液晶テレビジョン１０に出力するように構成されている。なお、液晶テレビジョン１０は、本発明の「映像表示装置」および「テレビジョン装置」の一例である。
【００２２】
また、図２に示すように、液晶テレビジョン１０は、制御部１１と、ＲＯＭ１２と、映像信号を表示可能な表示画面部１３と、音声を出力可能なスピーカ１４と、テレビジョン放送を受信するためのテレビジョン放送受信部１５と、ＰＣ２０と電気的に接続するための端子部１６とを含む。また、ＲＯＭ１２には、制御部１１において用いられるプログラムが格納されている。また、テレビジョン放送受信部１５において受信されるテレビジョン放送の映像信号は、映像フォーマットが固定されている。また、表示画面部１３は、図１に示すテレビジョン放送受信部１５（図２参照）において受信したテレビジョン放送の映像信号、または、図３に示すＰＣ２０からの映像信号を表示可能なように構成されている。
【００２３】
また、図２に示すように、液晶テレビジョン１０は、フラッシュメモリ１７をさらに含む。このフラッシュメモリ１７には、表示画面部１３において前回表示された映像信号の映像フォーマットと、対応フォーマットリスト１７ａとが記憶されている。なお、フラッシュメモリ１７は、本発明の「記憶部」の一例であり、対応フォーマットリスト１７ａは、本発明の「リスト」の一例である。
【００２４】
ここで、本実施形態では、図４に示すように、フラッシュメモリ１７に記憶されている対応フォーマットリスト１７ａでは、ＰＣ２０から入力される表示画面部１３に表示可能な複数の映像フォーマットと、ＰＣ２０から入力される表示画面部１３において表示された映像信号の映像フォーマットの表示回数とが対応付けられた状態で記憶されている。なお、本実施形態において、液晶テレビジョン１０において表示画面部１３に表示可能な映像フォーマットの数はｎ個であり、対応フォーマットリスト１７ａには、ｎ個の映像フォーマットがそれぞれ映像フォーマットの表示回数と対応付けられた状態で配置されている。
【００２５】
また、映像フォーマットには、画面解像度と、表示画面部１３において１秒間に１フレームの画像が何回切り替わるかを示すリフレッシュレート（垂直同期周波数）とが含まれている。また、画面解像度は、水平画素数および垂直画素数からなり、「水平画素数（ピクセル）×垂直画素数（ピクセル）」として表現されている。この画面解像度が大きくなればなるほど、表示画面部１３（図２参照）に表示される映像信号が細やかに表示される。また、リフレッシュレートが大きくなればなるほど、表示画面部１３に表示される動画が視聴者（図示せず）に滑らかに見えるように表示される。
【００２６】
また、制御部１１（図２参照）は、ＰＣ２０（図２参照）から映像信号が入力された際、ＰＣ２０から入力される映像信号の映像フォーマットの画面解像度を参照することによって、入力された映像信号の映像フォーマットを表示画面部１３に表示可能であるか否かを判別するとともに、画面解像度が同一の映像フォーマットが複数存在する場合には、リフレッシュレートを参照することによって、入力された映像信号の映像フォーマットを表示画面部１３に表示可能であるか否かを判別するように構成されている。
【００２７】
また、フラッシュメモリ１７の対応フォーマットリスト１７ａにおいて、映像フォーマットは表示回数が多いものから順に上方から並べられている。具体的には、最も表示回数の多い映像フォーマットは、対応フォーマットリスト１７ａの一番上方に第１番目の映像フォーマットとして配置されており、表示回数の多い順に順位が付されて対応フォーマットリスト１７ａの上方から下方に順に配置されている。そして、最も表示回数の少ない映像フォーマットは、対応フォーマットリスト１７ａの一番下方に第ｎ番目の映像フォーマットとして配置されている。
【００２８】
また、対応フォーマットリスト１７ａにおいて、映像フォーマットの表示回数が同一の場合には、映像フォーマットは、画面解像度が小さい映像フォーマットから順に上方から並べられるように構成されているとともに、映像フォーマットの表示回数および画面解像度が同一の場合には、映像フォーマットは、リフレッシュレートが小さい映像フォーマットから順に上方から並べられるように構成されている。具体的には、図４に示すように、画面解像度「６４０（ピクセル）×４８０（ピクセル）」を有する映像フォーマットの表示回数と、画面解像度「１２８０（ピクセル）×１０２４（ピクセル）」を有する映像フォーマットの表示回数とが同一（９９回）である場合には、小さい画面解像度「６４０（ピクセル）×４８０（ピクセル）」を有する映像フォーマットが第ｈ番目に配置されるとともに、大きい画面解像度「１２８０（ピクセル）×１０２４（ピクセル）」を有する映像フォーマットが第ｈ番目の下方の第ｈ＋１番目に配置されるように構成されている。また、たとえば、画面解像度「１０２４（ピクセル）×７６８（ピクセル）」とリフレッシュレート「６０Ｈｚ」とを有する映像フォーマットの表示回数と、画面解像度「１０２４（ピクセル）×７６８（ピクセル）」とリフレッシュレート「７０Ｈｚ」を有する映像フォーマットの表示回数とが同一である場合には、小さいリフレッシュレート「６０Ｈｚ」を有する映像フォーマットが、大きいリフレッシュレート「７０Ｈｚ」を有する映像フォーマットよりも上方に配置されるように構成されている。
【００２９】
また、フラッシュメモリ１７の対応フォーマットリスト１７ａは、映像フォーマットを有する映像信号が表示画面部１３に表示されると、制御部１１によって、表示画面部１３に表示された映像信号の映像フォーマットの表示回数が１つ増加するように構成されている。そして、対応フォーマットリスト１７ａは、制御部１１によって、映像フォーマットの表示回数の増加に対応して更新されるように構成されている。つまり、表示画面部１３に映像信号が表示された際、対応フォーマットリスト１７ａは、制御部１１によって、映像フォーマットの表示回数が多い順に上方から並べ直されるように構成されている。また、映像フォーマットの表示回数が同一の場合には、対応フォーマットリスト１７ａは、制御部１１によって、映像フォーマットの画面解像度が小さい順に上方から並べ直されるように構成されているとともに、映像フォーマットの表示回数および画面解像度が同一の場合には、対応フォーマットリスト１７ａは、映像フォーマットのリフレッシュレートが小さい順に上方から並べ直されるように構成されている。
【００３０】
また、本実施形態では、制御部１１は、ＰＣ２０から映像信号が入力された際、まず、フラッシュメモリ１７に記憶されている表示画面部１３において前回表示された映像信号の映像フォーマットに基づいて、ＰＣ２０から入力された映像信号の映像フォーマットを表示画面部１３に表示可能であるか否かを判別するように構成されている。
【００３１】
ここで、本実施形態では、表示画面部１３において前回表示された映像信号の映像フォーマットと、ＰＣ２０から入力された映像信号の映像フォーマットとが同一でない場合には、制御部１１は、対応フォーマットリスト１７ａに基づいて、対応フォーマットリスト１７ａの上方に配置された映像フォーマットから順に下方に参照して、ＰＣ２０から入力された映像信号の映像フォーマットを表示画面部１３に表示可能であるか否かを判別するように構成されている。
【００３２】
具体的には、制御部１１は、対応フォーマットリスト１７ａの上方に配置された表示回数が多い映像フォーマットから順に下方に参照して、入力された映像信号の映像フォーマットを表示画面部１３に表示可能であるか否かを判別するように構成されている。そして、制御部１１は、対応フォーマットリスト１７ａに表示回数が同一の映像フォーマットが複数存在する場合には、対応フォーマットリスト１７ａの上方に配置された画面解像度が小さい映像フォーマットから順に下方に参照するように構成されている。さらに、対応フォーマットリスト１７ａに表示回数および画面解像度が同一の映像フォーマットが複数存在する場合には、対応フォーマットリスト１７ａの上方に配置されたリフレッシュレートが小さい映像フォーマットから順に下方に参照するように構成されている。
【００３３】
また、制御部１１は、参照した映像フォーマットとＰＣ２０から入力された映像信号の映像フォーマットとが同一であった場合には、図３に示すように、同一となった映像フォーマットに基づいて、映像信号を表示画面部１３に表示させるように構成されている。
【００３４】
次に、図１〜図１１を参照して、本実施形態による映像表示システム１の液晶テレビジョン１０の映像信号入力時の制御動作を説明する。
【００３５】
まず、図１に示すように、液晶テレビジョン１０の表示画面部１３には、テレビジョン放送受信部１５において受信されたテレビジョン放送の映像信号が表示されている。この際、テレビジョン放送の映像信号の映像フォーマットの表示回数は、フラッシュメモリ１７の対応フォーマットリスト１７ａに記憶されない。
【００３６】
ここで、図６に示す液晶テレビジョン１０の映像信号入力時の制御動作として、ステップＳ１では、ＰＣ２０から映像信号が端子部１６（図２参照）を介して液晶テレビジョン１０に入力されたか否かが制御部１１（図２参照）により判断される。ステップＳ１において、制御部１１によりＰＣ２０から映像信号が入力されたと判断された場合、ステップＳ２に移行する。また、ステップＳ１において、制御部１１によりＰＣ２０から映像信号が入力されていないと判断された場合、ＰＣ２０から映像信号が入力されるまでステップＳ１の判断が繰り返される。
【００３７】
そして、ステップＳ２では、ＰＣ２０から入力された映像信号の映像フォーマットが、表示画面部１３において前回表示されたＰＣ２０からの映像信号の映像フォーマットと同一であるか否かが制御部１１により判断される。具体的には、ＰＣ２０から入力された映像信号の映像フォーマットの画面解像度が、表示画面部１３において前回表示されたＰＣ２０からの映像信号の映像フォーマットの画面解像度と同一であるか否かが制御部１１により判断される。また、画面解像度が同一の映像フォーマットが複数存在する場合には、ＰＣ２０から入力された映像信号の映像フォーマットのリフレッシュレートが、表示画面部１３において前回表示されたＰＣ２０からの映像信号の映像フォーマットのリフレッシュレートと同一であるか否かが制御部１１により判断される。
【００３８】
ステップＳ２において、制御部１１によって、今回ＰＣ２０から入力された映像信号の映像フォーマットが、表示画面部１３において前回表示されたＰＣ２０からの映像信号の映像フォーマットと同一であると判断された場合、ステップＳ３に移行して、後述するように制御部１１は映像信号を表示画面部１３に表示させる。また、ステップＳ２において、制御部１１によって、今回ＰＣ２０から入力された映像信号の映像フォーマットが、表示画面部１３において前回表示されたＰＣ２０からの映像信号の映像フォーマットと同一でないと判断された場合、ステップＳ４に移行する。
【００３９】
そして、ステップＳ４では、今回ＰＣ２０から入力された映像信号の映像フォーマットが、対応フォーマットリスト１７ａ（図４参照）の第１番目の映像フォーマットから順に第ｉ番目（１≦ｉ≦ｎ）の映像フォーマットと同一か否かが制御部１１により判断される。具体的には、今回ＰＣ２０から入力された映像信号の映像フォーマットの画面解像度およびリフレッシュレートが、対応フォーマットリスト１７ａの第ｉ番目の映像フォーマットの画面解像度およびリフレッシュレートと同一か否かが制御部１１により判断される。
【００４０】
ステップＳ４において、制御部１１によって、今回ＰＣ２０から入力された映像信号の映像フォーマットが、第ｉ番目の映像フォーマットと同一であると判断された場合、ステップＳ３に移行して、後述するように制御部１１は映像信号を表示画面部１３に表示させる。また、ステップＳ４において、制御部１１によって、今回ＰＣ２０から入力された映像信号の映像フォーマットが、第ｉ番目の映像フォーマットと同一でないと判断された場合、ステップＳ５に移行して、制御部１１は、ｉを１つ増加させる。そして、ステップＳ６に移行して、ｉが対応フォーマットリスト１７ａの映像フォーマットの数であるｎよりも大きいか否かが制御部１１により判断される。ステップＳ６において、制御部１１によりｉがｎ以下であると判断された場合、ステップＳ４に戻る。
【００４１】
つまり、本実施形態では、ステップＳ４〜ステップＳ６のループにおいて、制御部１１は、表示回数が多い映像フォーマットから順に上方から並べられた対応フォーマットリスト１７ａに基づいて、入力された映像信号の映像フォーマットを表示画面部１３に表示可能であるか否かを判別する。
【００４２】
また、今回ＰＣ２０から入力された映像信号の映像フォーマットが、対応フォーマットリスト１７ａのｎ個の映像フォーマットのいずれとも異なる場合には、ステップＳ６において、制御部１１によりｉがｎよりも大きいと判断されて、ステップＳ７に移行する。そして、ステップＳ７では、図５に示すように、制御部１１は、今回ＰＣ２０から入力された映像信号を表示画面部１３に表示させずに、今回ＰＣ２０から入力された映像信号の映像フォーマットが液晶テレビジョン１０において未対応である旨のメッセージ「映像フォーマットが未対応です」を表示画面部１３に表示させる。そして、液晶テレビジョン１０の映像信号入力時の制御動作に関する処理が終了される。
【００４３】
一方、図６に示すステップＳ３では、図３に示すように、制御部１１は、今回ＰＣ２０から入力された映像信号の映像フォーマットと同一の映像フォーマットに基づいて、映像信号を表示画面部１３に表示させる。そして、図６に示すステップＳ８に移行して、制御部１１は、フラッシュメモリ１７に今回ＰＣ２０から入力された映像信号の映像フォーマットを記憶させる。そして、図７に示すステップＳ９の液晶テレビジョン１０の対応フォーマットリストの更新時の制御動作に移行する。
【００４４】
液晶テレビジョン１０の対応フォーマットリストの更新時の制御動作において、図７に示すステップＳ９ａでは、制御部１１は、対応フォーマットリスト１７ａにおいて、今回ＰＣ２０から入力された映像信号の映像フォーマットの表示回数を１つ増加させる。そして、ステップＳ９ｂに移行して、制御部１１は、対応フォーマットリスト１７ａを映像フォーマットの表示回数が大きい順に並び替える。具体的には、図８に示すように、今回ＰＣ２０から入力された映像信号が第ｊ番目の映像フォーマットであった場合に、第ｊ番目の映像フォーマットの表示回数は、９９回から１つ増加して１００回になる。これにより、第ｊ番目の映像フォーマットの表示回数（１００回）は、第ｊ−１番目の映像フォーマットの表示回数（９９回）よりも多くなるので、図９に示すように、制御部１１は、対応フォーマットリスト１７ａにおいて、第ｊ−１番目に配置されていた映像フォーマットと、第ｊ番目に配置されていた映像フォーマットとの順番を並び替える。そして、ステップＳ９ｃに移行する。
【００４５】
次に、ステップＳ９ｃにおいて、対応フォーマットリスト１７ａにおいて、表示回数が同一の映像フォーマットが複数存在するか否かが制御部１１により判断される。ステップＳ９ｃにおいて、制御部１１により表示回数が同一の映像フォーマットが複数存在すると判断された場合には、ステップＳ９ｄに移行する。また、ステップＳ９ｃにおいて、制御部１１により表示回数が同一の映像フォーマットが複数存在しないと判断された場合には、液晶テレビジョン１０の対応フォーマットリストの更新時の制御動作および映像信号入力時の制御動作に関する処理が終了される。
【００４６】
また、ステップＳ９ｄにおいて、制御部１１は、対応フォーマットリスト１７ａを映像フォーマットの画面解像度の小さい順に並び替える。たとえば、図１０に示すように、今回ＰＣ２０から入力された映像信号が第ｋ番目の映像フォーマットであった場合に、第ｋ番目の映像フォーマットの表示回数は、９８回から１つ増加して９９回になる。これにより、第ｋ番目の映像フォーマットの表示回数と第ｋ−１番目の映像フォーマットの表示回数とが９９回で同一になるので、制御部１１は、映像フォーマットの画面解像度が小さい順に並び替える。つまり、第ｋ番目の映像フォーマットの画面解像度「６４０（ピクセル）×４８０（ピクセル）」は、第ｋ−１番目の映像フォーマットの画面解像度「１２８０（ピクセル）×１０２４（ピクセル）」よりも小さいので、図１１に示すように、制御部１１は、第ｋ−１番目に配置されていた映像フォーマットと第ｋ番目に配置されていた映像フォーマットとの順番を並び替える。そして、ステップＳ９ｅに移行する。
【００４７】
次に、ステップＳ９ｅにおいて、対応フォーマットリスト１７ａにおいて、表示回数および画面解像度が同一の映像フォーマットが複数存在するか否かが制御部１１により判断される。ステップＳ９ｅにおいて、制御部１１により表示回数および画面解像度が同一の映像フォーマットが複数存在すると判断された場合には、ステップＳ９ｆに移行する。また、ステップＳ９ｅにおいて、制御部１１により表示回数および画面解像度が同一の映像フォーマットが複数存在しないと判断された場合には、液晶テレビジョン１０の対応フォーマットリストの更新時の制御動作および映像信号入力時の制御動作に関する処理が終了される。
【００４８】
また、ステップＳ９ｆにおいて、制御部１１は、対応フォーマットリスト１７ａをリフレッシュレートの小さい順に並び替える。たとえば、画面解像度「１０２４（ピクセル）×７６８（ピクセル）」とリフレッシュレート「６０Ｈｚ」とを有する映像フォーマットの表示回数と、画面解像度「１０２４（ピクセル）×７６８（ピクセル）」とリフレッシュレート「７０Ｈｚ」を有する映像フォーマットの表示回数とが同一になった場合には、制御部１１は、小さいリフレッシュレート「６０Ｈｚ」を有する映像フォーマットを、大きいリフレッシュレート「７０Ｈｚ」を有する映像フォーマットよりも上方に配置する。そして、液晶テレビジョン１０の対応フォーマットリストの更新時の制御動作および映像信号入力時の制御動作に関する処理が終了される。
【００４９】
本実施形態では、上記のように、制御部１１を、ＰＣ２０から映像信号が入力された際、ＰＣ２０から入力される表示画面部１３に表示可能な複数の映像フォーマットと、ＰＣ２０から入力される表示画面部１３において表示された映像信号の映像フォーマットの表示回数とが対応付けられた状態で表示回数が多いものから順に上方から並べられている対応フォーマットリスト１７ａに基づいて、表示回数が多い映像フォーマットから順に参照して、ＰＣ２０から入力された映像信号の映像フォーマットを表示画面部１３に表示可能であるか否かを判別するように構成することによって、映像フォーマットの表示回数が多い順に並べられた対応フォーマットリスト１７ａに基づいて、制御部１１により表示回数が多い映像フォーマットが優先的に参照されるので、容易に、表示回数が多い映像フォーマットが優先的に参照されるように構成することができる。これにより、表示回数の多い映像フォーマットを有する映像信号が表示画面部１３に表示されるまでの時間が長くなるのを抑制することができる。
【００５０】
また、本実施形態では、上記のように、制御部１１を、表示回数が多い映像フォーマットから順に参照して、ＰＣ２０から入力された映像信号の映像フォーマットを表示画面部１３に表示可能であるか否かを判別するように構成することによって、制御部１１は複数の映像フォーマットを参照するように構成されているので、ＰＣ２０から入力される複数の映像信号の映像フォーマットに対応させて、ＰＣ２０からの映像信号を表示画面部１３に表示させることができる。
【００５１】
また、本実施形態では、上記のように、制御部１１は、ＰＣ２０から映像信号が入力された際、まず、フラッシュメモリ１７に記憶されている表示画面部１３において前回表示された映像信号の映像フォーマットに基づいて、ＰＣ２０から入力された映像信号の映像フォーマットを表示画面部１３に表示可能であるか否かを判別し、表示画面部１３において前回表示された映像信号の映像フォーマットと、ＰＣ２０から入力された映像信号の映像フォーマットとが同一でない場合には、表示回数が多いものから順に上方から並べられている対応フォーマットリスト１７ａに基づいて、表示回数が多い映像フォーマットから順に参照するように構成することによって、制御部１１により前回表示された映像信号の映像フォーマットが最初に参照されるので、前回表示された映像信号の映像フォーマットと、ＰＣ２０から入力された映像信号の映像フォーマットとが一致する場合には、表示回数のみに基づいて制御部１１により表示回数が多い映像フォーマットから順に参照される場合と比べて、前回表示された映像フォーマットを有する映像信号が表示画面部１３に表示されるまでの時間が長くなるのをより抑制することができる。
【００５２】
また、本実施形態では、上記のように、表示画面部１３に映像信号が表示された際、制御部１１が、対応フォーマットリスト１７ａを映像フォーマットの表示回数が多い順に上方から並べ直すように構成することによって、常に、対応フォーマットリスト１７ａを映像フォーマットの表示回数が多い順に並べられた状態に保つことができる。
【００５３】
また、本実施形態では、上記のように、制御部１１を、ＰＣ２０から映像信号が入力された際、映像フォーマットの画面解像度およびリフレッシュレートを参照することによって、入力された映像信号の映像フォーマットを表示画面部１３に表示可能であるか否かを判別するように構成することによって、映像フォーマットの画面解像度およびリフレッシュレートに基づいて、制御部１１により表示回数が多い映像フォーマットが優先的に参照されるように構成することができる。
【００５４】
また、本実施形態では、上記のように、制御部１１を、対応フォーマットリスト１７ａに表示回数が同一の映像フォーマットが複数存在する場合、画面解像度が小さい映像フォーマットから順に参照し、対応フォーマットリスト１７ａに表示回数および画面解像度が同一の映像フォーマットが複数存在する場合、リフレッシュレートが小さい映像フォーマットから順に参照するように構成することによって、画面解像度およびリフレッシュレートの大きい映像フォーマットと比べて、画面解像度およびリフレッシュレートが小さい映像フォーマットは制御部１１による参照の際に必要となる時間が短いので、表示回数が同一の映像フォーマットが複数存在する場合において、制御部１１により、参照の際に必要な時間が短い映像フォーマットから順に参照されるように構成することができる。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
たとえば、上記実施形態では、映像表示装置の一例として、液晶テレビジョン１０を示したが、本発明はこれに限らず、ブラウン管テレビジョン、プラズマテレビジョンおよびリアプロジェクションテレビジョンなど、液晶テレビジョン以外の映像表示装置にも適用可能である。
【００５７】
また、上記実施形態では、制御部１１を、対応フォーマットリスト１７ａに表示回数が同一の映像フォーマットが複数存在する場合、画面解像度が小さい映像フォーマットから順に参照するように構成した例について示したが、本発明はこれに限らず、制御部は、対応フォーマットリストに表示回数が同一の映像フォーマットが複数存在する場合、たとえば、映像フォーマットのドットクロックが小さい映像フォーマットから順に参照するように構成してもよい。また、対応フォーマットリストに表示回数が同一の映像フォーマットが複数存在する場合、たとえば、制御部がより最近に表示された映像フォーマットから順に参照するように構成するなど、映像フォーマットの構成要素と関係ない指標を用いて、参照する順番を決定するように構成してもよいし、画面解像度が大きい映像フォーマットから順に参照するように構成してもよい。
【００５８】
また、上記実施形態では、映像フォーマットの表示回数が同一の場合には、対応フォーマットリスト１７ａを映像フォーマットの画面解像度の小さい順に上方から並べるとともに、映像フォーマットの表示回数および画面解像度が同一の場合には、リフレッシュレートの小さい順に上方から並べるように構成した例を示したが、本発明はこれに限らず、制御部は、リフレッシュレートを参照せずに画面解像度のみに基づいて、対応フォーマットリストに映像フォーマットを上方から並べるように構成してもよい。
【００５９】
また、上記実施形態では、制御部１１を、フラッシュメモリ１７に記憶されている前回表示された映像信号の映像フォーマットに基づいて判別した後に、対応フォーマットリスト１７ａに基づいて、対応フォーマットリスト１７ａの上方に配置された映像フォーマットから順に下方に参照して、ＰＣ２０から入力された映像信号の映像フォーマットを表示画面部１３に表示可能であるか否かを判別するように構成した例を示したが、本発明はこれに限らず、制御部は、前回表示された映像信号の映像フォーマットを考慮せずに、対応フォーマットリストのみに基づいて、映像信号の映像フォーマットを表示画面部に表示可能であるか否かを判別するように構成してもよい。
【００６０】
また、上記実施形態では、フラッシュメモリ１７に映像フォーマットを記憶させた例を示したが、本発明はこれに限らず、フラッシュメモリに映像フォーマットの画面解像度およびリフレッシュレートのみを記憶させて、映像フォーマット自体は、ＲＯＭに記憶させるように構成してもよい。
【符号の説明】
【００６１】
１０  液晶テレビジョン（映像表示装置、テレビジョン装置）
１１  制御部
１３  表示画面部
１７  フラッシュメモリ（記憶部）
１７ａ  対応フォーマットリスト（リスト）
２０  ＰＣ（パーソナルコンピュータ）
【図１】
2010243745.tif 000003
【図２】
2010243745.tif 000004
【図３】
2010243745.tif 000005
【図４】
2010243745.tif 000006
【図５】
2010243745.tif 000007
【図６】
2010243745.tif 000008
【図７】
2010243745.tif 000009
【図８】
2010243745.tif 000010
【図９】
2010243745.tif 000011
【図１０】
2010243745.tif 000012
【図１１】
2010243745.tif 000013